(57)【要約】      （修正有） 【課題】製造が容易で且つ経年変化による抜け止め機能が低下しない新規な箸箱収納機構を備えたランチジャーの提供。【解決手段】所定の大きさの複数の小容器と、前記小容器を収納できる大きさの容器状で、且つ上方開口部に蓋体を螺合するネジ部１４を設けると共に、蓋体装着時に蓋体の下端部と当接する鍔部１３を備えた本体１と、前記本体に被冠螺着する蓋体と、所定の箸箱３とを備え、本体下部側方に箸箱の下端部を納めるポケット状の下方受け部４１を設け、前記下方受け部と対応する本体上部側方に、挿通した箸箱が蓋体の外方に位置する挿通孔４４を有する箸箱挿着部４２を設けたランチジャーにおいて、製造が容易で且つ経年変化による抜け止め機能が低下しない抜け止め構造を備え、箱装着位置における鍔部１３に凹溝部４５を形成すると共に、箸箱３の所定位置に前記凹溝部４５と対応するロック突部４６を設け、蓋体の螺着で箸箱３の抜けを防止する。【選択図】図２
0003113011.tif 000002
【実用新案登録請求の範囲】
【請求項１】
所定の大きさの複数の小容器と、前記小容器を収納できる大きさの容器状で、且つ上方開口部に蓋体を螺合するネジ部を設けると共に、蓋体装着時に蓋体の下端部と当接する鍔部を備えた本体と、前記本体に被冠螺着する蓋体と、所定の箸箱とを備え、本体下部側方に箸箱の下端部を納めるポケット状の下方受け部を設け、前記下方受け部と対応する本体上部側方に、挿通した箸箱が蓋体の外方に位置する挿通孔を有する箸箱挿着部を設け、箸箱装着位置における鍔部に凹溝部を形成すると共に、箸箱の所定位置に前記凹溝部と対応するロック突部を設けてなることを特徴とするランチジャー。
【請求項２】
下方受け部に、収納箸箱を押圧するバネ部を設けてなる請求項１記載のランチジャー。
【請求項３】
本体の容器部を金属製真空二重容器で形成すると共に、下方受け部を本体の樹脂製底面被覆部と一体に形成し、箸箱挿着部を本体容器部の上方部分に装着する樹脂製の鍔部と一体に形成してなる請求項１又は２記載のランチジャー。
【請求項４】
箸箱が長尺容器部と長尺蓋部で構成されている請求項１乃至３記載のランチジャー。
【考案の詳細な説明】
【技術分野】
【０００１】
本考案は、箸箱を備えたランチジャーに関するものである。
【背景技術】
【０００２】
ランチジャーは周知のとおり複数の食品小容器（味噌汁容器、ご飯容器、菜容器等）と前記小容器を収納する本体及び本体に被冠装着する蓋体とで構成され、本体に箸箱を装着するようにしている。
【０００３】
箸箱の装着手段として、実開昭６２−１９０５２０号公報（特許文献１）に開示されているように、本体の上下に配置したリング体の外周に、箸箱を上方より挿入装着する箸箱収納部を設けているもので、上方が箸箱挿通孔で、下方がポケット状受け部とで構成されている。
【０００４】
前記の箸箱収納部は、単に箸箱を上方より差し入れるのみであるから、簡単に離脱してしまう虞がある。そこで箸箱の下方受け部に弾性係止構造を設けることが提案されている（特許文献２，３，４）。
【０００５】
また別の手段としては、収納した箸箱が上方から抜け出ないように、箸箱の上方へ張り出す離脱防止突部を蓋体に付設することも提案されている（特許文献５，６）。
【０００６】
【特許文献１】実開昭６２−１９０５２０号公報。
【特許文献２】特開平７−３２７８２４号公報。
【特許文献３】特開平９−３３２号公報。
【特許文献４】特開２００３−５２４３８号公報。
【特許文献５】実開昭６３−５４３２０号公報。
【特許文献６】実開平６−４１６３０号公報。
【考案の開示】
【考案が解決しようとする課題】
【０００７】
箸箱収納部から箸箱が離脱しないようにする手段として、前記の通り箸箱の下方受け部（ポケット形状に形成されている）と、箸箱との間に弾性係止構造を採用しているが、係止が正確になされないと離脱防止の作用が発揮されないので、当該係止部分の構造には相応の製造精度が要求されるが、当該箇所がポケット状の内側部分となるために、製造が煩雑となる。
【０００８】
しかも箸箱の着脱毎に係止部分において磨耗が生ずるので、経年変化によって離脱防止効果が低下してしまう虞もある。
【０００９】
また蓋体に箸箱の抜け止めを制止する突部を設ける手段も提案されているが、蓋体を装着した際に、前記突部が所定の位置に来るように蓋体を設計しなければならなく、特に蓋体が本体に対して螺合装着する構造であれば、特に突部位置の正確性を実現するために、高い製造精度が要求されることになる。
【００１０】
そこで本考案は、製造が容易で且つ経年変化による抜け止め機能が低下しない新規な箸箱収納機構を備えたランチジャーを提案したものである。
【課題を解決するための手段】
【００１１】
本考案に係るランチジャーは、所定の大きさの複数の小容器と、前記小容器を収納できる大きさの容器状で、且つ上方開口部に蓋体を螺合するネジ部を設けると共に、蓋体装着時に蓋体の下端部と当接する鍔部を備えた本体と、前記本体に被冠螺着する蓋体と、所定の箸箱とを備え、本体下部側方に箸箱の下端部を納めるポケット状の下方受け部を設け、前記下方受け部と対応する本体上部側方に、挿通した箸箱が蓋体の外方に位置する挿通孔を有する箸箱挿着部を設け、箸箱装着位置における鍔部に凹溝部を形成すると共に、箸箱の所定位置に前記凹溝部と対応するロック突部を設けてなることを特徴とするものである。
【００１２】
従って箸箱を挿通孔から差し入れ、箸箱の下端を下方受け部内に納めると、ロック突部が凹溝部に嵌合して納まり、蓋体を本体に螺合装着すると、蓋体下端面がロック突部と対面することになり、箸箱が上方に抜け出ようとしてもロック突部が蓋体に衝突して抜け出ることが無く、蓋体を開放しなければ箸箱を本体から取外すことができない。
【考案の効果】
【００１３】
本考案は、上記の箸箱収納構造を備えたランチジャーで、箸箱の本体への着脱に際して磨耗する箇所がなく、また箸箱の離脱防止構造も鍔部及び箸箱の形状の一部を変更するのみで実現するもので、且つ高い製造精度も要求されないので、その製造が容易である。
【考案を実施するための最良の形態】
【００１４】
次に本考案の実施形態について説明する。実施形態に示したランチジャーは基本的には従前の物と同様に、所定の大きさの複数の小容器（図示せず）と、前記小容器を収納する本体１と、本体１に被冠装着する蓋体２と、箸箱３とを備え、更に箸箱収納機構部４を付設してなるものである。
【００１５】
本体１は、金属製真空二重容器で形成した本体容器部１１と、底面を被覆する樹脂製の底面被覆部１２と、本体容器部１１の開口端を被覆する樹脂製の鍔部１３と、鍔部１３の上部に鍔部１３と一体又は別体で連続するネジ部１４とで構成されているものである。
【００１６】
蓋体２は、前記本体１を被冠し、ネジ部１４に螺合すると共に、螺着時（蓋体閉塞時）には、蓋体２の下端縁が鍔部１３の上端面と当接するようにしてなるものである。
【００１７】
箸箱３は、一般的な箸箱であって、長尺容器部と長尺蓋部で構成されている。
【００１８】
本考案は、箸箱収納機構部４に特徴を有するものであり、箸箱収納機構部４は、下方受け部４１と、箸箱挿着部４２とを備え、下方受け部４１は、本体１の下部側方に箸箱３の下端部分が納められる適宜大きさのポケット状としたもので、前記の底面被覆部１２と一体に形成してなり、特にポケット内に下向き舌片状の押圧バネ部４３をも一体に形成してなる。
【００１９】
箸箱挿着部４２は、箸箱３が略密挿される大きさの挿通孔４４を備えたもので、鍔部１３と一体に形成してなる。
【００２０】
更に収納箸箱の離脱防止構造として、箸箱収納位置における鍔部１３に、蓋体当接面箇所が本体中心側（内方側）へ凹んでなる凹溝部４５を形成すると共に、箸箱３を収納した状態で前記凹溝部４５と嵌合するロック突部４６を、箸箱３の所定位置に設けたものである。
【００２１】
而して食品を入れた小容器を本体容器部１１に収納し、箸箱３を挿通孔４４から差し入れて、箸箱３の下端部を下方受け部４１に納め、しかる後蓋体２を螺合装着して携帯するものである。
【００２２】
前記の状態において、箸箱３の下端部分は下方受け部４１内において押圧バネ部４３で受け部内の壁面に押圧されてガタツキ無く保持され、ロック突部４６が凹溝部４５に嵌合して納まり、ロック突部４６の頂部は蓋体２の下端面で押さえ込まれることになるので、箸箱３が本体１から離脱することがない。そして箸の使用に際しては、蓋体２を開放すると箸箱を取り出すことが出来るものである。
【００２３】
尚前記実施形態において、箸箱構造を長尺容器部と長尺蓋部で構成するとしており、特に箸箱３を本体から分離しないと箸の取り出しが不可能であるが、本考案は前記箸箱構造に限定されているものではなく、上端部開口の箸箱であってもやはり箸箱を外してから箸の取り出しを行うので、どのような構造の箸箱を採用するかは任意である。
【図面の簡単な説明】
【００２４】
【図１】本考案の実施形態の全体斜視図（箸箱挿着状態）。
【図２】同本体と箸箱の斜視図（箸箱分離状態）。
【図３】同断面図（箸箱装着前）。
【図４】同断面図（箸箱装着後）。
【図５】同断面図（蓋体装着後）。
【図６】同断面図（箸箱装着後の要部拡大図）。
【符号の説明】
【００２５】
１            本体
１１          本体容器部
１２          底面被覆部
１３          鍔部
１４          ネジ部
２            蓋体
３            箸箱
４            箸箱収納機構部
４１          下方受け部
４２          箸箱挿着部
４３          押圧バネ部
４４          挿通孔
４５          凹溝部
４６          ロック突部
【図１】
0003113011.tif 000003
【図２】
0003113011.tif 000004
【図３】
0003113011.tif 000005
【図４】
0003113011.tif 000006
【図５】
0003113011.tif 000007
【図６】
0003113011.tif 000008